(57)【特許請求の範囲】
【請求項１】
エンジン動力を、走行車輪へ伝達する油圧式無段変速装置と、油圧式のＰＴＯクラッチ８５が設置されたＰＴＯ伝動軸３３を介してＰＴＯ軸３６へ伝達するＰＴＯ伝動装置とを備えたトランスミッションであって、該トランスミッションを収容するハウジング内を、仕切壁１０ｂを介して第一の部屋Ｒ１と第二の部屋Ｒ２とに区画し、第一の部屋Ｒ１に油圧式無段変速装置を構成する油圧ポンプＰ又は油圧モータＭの一方を配置し、第二の部屋Ｒ２に、前記ＰＴＯ伝動軸３３を配置すると共に、前記仕切壁１０ｂの第一の部屋Ｒ１側に、ＰＴＯ伝動軸３３をＰＴＯクラッチ８５の切断時に連動して制動するための油圧式の慣性空転防止ブレーキ装置Ｇを配置したことを特徴とする作業車両の動力取出装置。
【請求項２】
請求項１記載の作業車両の動力取出装置において、該慣性空転防止ブレーキ装置Ｇを、前記仕切壁１０ｂの一側面に凹入状に形成したブレーキ室１３０と、該ブレーキ室１３０の中に収容された、前記ＰＴＯ伝動軸３３と一体回転する回転板と、ブレーキ室１３０に係止した固定板とを重合して成る制動摩擦部材１３１と、該制動摩擦部材１３１の側方に配置した加圧板９０と、前記加圧板９０を覆うべく前記仕切壁１０ｂの前面に装着したカバー８７と、該カバー８７の中に配置されたスプリング８８であって、前記制動摩擦部材１３１を押圧する向きに前記加圧板９０を付勢するスプリング８８とを備えた摩擦ブレーキに構成したことを特徴とする作業車両の動力取出装置。
【請求項３】
請求項２記載の作業車両の動力取出装置において、前記ＰＴＯクラッチ８５を、作動油の供給により係合作動するよう構成し、ＰＴＯクラッチ８５に対し作動油を給排するロータリジョイント部をＰＴＯ伝動軸３３上に構成する一方、ブレーキの加圧板９０には、制動摩擦部材１３１に向けて突出した押圧部と、この押圧部に対して径方向で並ぶように突出した環状のピストン部９０ｂとが備えられると共に、前記仕切壁１０ｂのブレーキ室１３０の外周位置には、環状の凹入して加圧板９０のピストン部９０ｂが摺動自在に嵌入されるシリンダ室１３２を形成し、ＰＴＯクラッチ８５の方向切換弁１０１から導かれる油通路を、仕切壁１０ｂに形成した油路を介してロータリジョイント部とシリンダ室１３２とに夫々接続したこと特徴とする作業車両用の動力取出装置。
【請求項４】
請求項３記載の作業車両の動力取出装置において、前記方向切換弁１０１をプレート部材７７を介してハウジングの外壁に取付け、このプレート部材７７とハウジングとの間に、方向切換弁１０１のクラッチポートと仕切壁１０ｂの油路とを連通する油通路を設けると共に、該油通路からロータリジョイント部に至る途中に、そのケースが前記ハウジングの一部で構成されたアキュムレータ１１７を接続したことを特徴とする作業車両の動力取出装置。
【請求項５】
請求項４記載の作業車両の動力取出装置において、前記アキュムレータ１１７のケースを、ハウジング外壁から仕切壁内に向けて穿設した孔部で構成し、孔部にアキュムレータ１１７のピストン１１７ａを摺動自在に収容してその孔部を、前記プレート部材７７で閉塞すると共に、プレート部材７７とピストン１１７ａの頭部との間に、プレート部材７７の前記油通路を導いてあることを特徴とする作業車両の動力取出装置。
【発明の詳細な説明】
【０００１】
【発明の属する技術分野】
本発明は、走行車輌に油圧式無段変速装置を備え、入力軸からＰＴＯ軸に動力を取り出すための動力系統中に、ＰＴＯクラッチと、ＰＴＯ軸の慣性空転防止用のブレーキ装置を設ける構成に関する。
【０００２】
【従来の技術】
従来から走行車輌のハウジング内に、油圧式無段変速装置と、ＰＴＯクラッチと、ＰＴＯ軸の慣性空転防止用のブレーキ装置を収容した技術は公知となっている。例えば、特開平７−１１７５００号の技術である。この技術は、エンジン動力を、走行車輪へ伝達する油圧式無段変速装置をハウジングの前部の部屋に収容し、入力軸からＰＴＯクラッチが設置されたＰＴＯ伝動軸を介してＰＴＯ軸へ伝達するＰＴＯ伝動装置と、ＰＴＯ軸の慣性空転防止用のブレーキとを、後部の部屋に配置していた。そして、慣性空転防止用のブレーキはハウジングの後部の部屋の側壁にシリンダー室を形成し、ピストンロッドの先端に設けたブレーキパッドをＰＴＯクラッチのクラッチケースに押しつけて制動する構成としていた。
【０００３】
【発明が解決しようとする課題】
しかし、従来の技術では、クラッチケースにブレーキパッドを押しつけて制動する構成なので、クラッチケースの大径部分を押す構成となり、大きなブレーキ容量が必要となり、ブレーキ装置が大きくなる。更に、該ブレーキ装置を作動させるためのシリンダーも大きくする必要があるので、シリンダー室を形成するハウジングも大きくしなければならなかったのである。そして、このシリンダー室は後部のハウジングに形成されていたので、ＰＴＯクラッチ「入」のとき非制動状態とするために油圧を供給する油路は、前部ハウジングから後部ハウジングまで導く必要があるので長くなってしまい、管路抵抗でブレーキの応答が遅くなったりしていたのである。また、慣性量の大きな作業機を装着して、この作業機の入力軸をＰＴＯ軸と接続して駆動する場合には、ＰＴＯクラッチを「入」としたときに、大きな力がかかるので、そのショックが大きく、エンストとなることがあった。
【０００４】
【課題を解決するための手段】
上記課題を解決するために本発明は、次のように構成したものである。
請求項１においては、エンジン動力を、走行車輪へ伝達する油圧式無段変速装置と、油圧式のＰＴＯクラッチ８５が設置されたＰＴＯ伝動軸３３を介してＰＴＯ軸３６へ伝達するＰＴＯ伝動装置とを備えたトランスミッションであって、該トランスミッションを収容するハウジング内を、仕切壁１０ｂを介して第一の部屋Ｒ１と第二の部屋Ｒ２とに区画し、第一の部屋Ｒ１に油圧式無段変速装置を構成する油圧ポンプＰ又は油圧モータＭの一方を配置し、第二の部屋Ｒ２に、前記ＰＴＯ伝動軸３３を配置すると共に、前記仕切壁１０ｂの第一の部屋Ｒ１側に、ＰＴＯ伝動軸３３をＰＴＯクラッチ８５の切断時に連動して制動するための油圧式の慣性空転防止ブレーキ装置Ｇを配置したものである。
【０００５】
請求項２においては、請求項１記載の作業車両の動力取出装置において、該慣性空転防止ブレーキ装置Ｇを、前記仕切壁１０ｂの一側面に凹入状に形成したブレーキ室１３０と、該ブレーキ室１３０の中に収容された、前記ＰＴＯ伝動軸３３と一体回転する回転板と、ブレーキ室１３０に係止した固定板とを重合して成る制動摩擦部材１３１と、該制動摩擦部材１３１の側方に配置した加圧板９０と、前記加圧板９０を覆うべく前記仕切壁１０ｂの前面に装着したカバー８７と、該カバー８７の中に配置されたスプリング８８であって、前記制動摩擦部材１３１を押圧する向きに前記加圧板９０を付勢するスプリング８８とを備えた摩擦ブレーキに構成したものである。
【０００６】
請求項３においては、請求項２記載の作業車両の動力取出装置において、前記ＰＴＯクラッチ８５を、作動油の供給により係合作動するよう構成し、ＰＴＯクラッチ８５に対し作動油を給排するロータリジョイント部をＰＴＯ伝動軸３３上に構成する一方、ブレーキの加圧板９０には、制動摩擦部材１３１に向けて突出した押圧部と、この押圧部に対して径方向で並ぶように突出した環状のピストン部９０ｂとが備えられると共に、前記仕切壁１０ｂのブレーキ室１３０の外周位置には、環状の凹入して加圧板９０のピストン部９０ｂが摺動自在に嵌入されるシリンダ室１３２を形成し、ＰＴＯクラッチ８５の方向切換弁１０１から導かれる油通路を、仕切壁１０ｂに形成した油路を介してロータリジョイント部とシリンダ室１３２とに夫々接続したものである。
【０００７】
請求項４においては、請求項３記載の作業車両の動力取出装置において、前記方向切換弁１０１をプレート部材７７を介してハウジングの外壁に取付け、このプレート部材７７とハウジングとの間に、方向切換弁１０１のクラッチポートと仕切壁１０ｂの油路とを連通する油通路を設けると共に、該油通路からロータリジョイント部に至る途中に、そのケースが前記ハウジングの一部で構成されたアキュムレータ１１７を接続したものである。
【０００８】
請求項５においては、請求項４記載の作業車両の動力取出装置において、前記アキュムレータ１１７のケースを、ハウジング外壁から仕切壁内に向けて穿設した孔部で構成し、孔部にアキュムレータ１１７のピストン１１７ａを摺動自在に収容してその孔部を、前記プレート部材７７で閉塞すると共に、プレート部材７７とピストン１１７ａの頭部との間に、プレート部材７７の前記油通路を導いているものである。
【０００９】
【発明の実施の形態】
次に添付の図面に示した本発明の実施例の構成を説明する。
図１は作業車両の全体側面図である。
【００１０】
図１において、本発明のトランスミッションを搭載したミッドマウント型作業車両の全体構成から説明する。機体前部上のボンネット１内にエンジンＥを収納し、該ボンネット１後部にダッシュボード２を配置し、該ダッシュボード２上にハンドル３を配置している。該ダッシュボード２下部の両側方にステップ４を配置し、左側のステップ４上にブレーキペダル５Ｌ・５Ｒを配置し、右側のステップ上に図示しない主変速ペダルを配置している。前記ダッシュボードの後方には座席６を配置し、該座席６の側方に副変速レバー７、ＰＴＯ切換レバー９が配置されている。
【００１１】
前記座席６下方に本発明のトランスミッションが配置されており、該トランスミッションは、前ケース１０と後ケース１１からなるハウジング内に油圧式無段変速装置とギア式変速装置とＰＴＯ伝動装置とを収納して構成されている。該前ケース１０から前方に入力軸１２と前輪駆動軸の第一軸部１３とＰＴＯ出力軸の一つであるミッドＰＴＯ軸１４を突出し、後方にはリアＰＴＯ軸３６を突設している。入力軸１２には前記エンジンＥのクランク軸より機体フレーム１５内のダンパー（図示せず）、伝動軸１６を介して連動連結されている。
前記前輪駆動軸の第一軸部１３にはユニバーサルジョイント１７を介してフロントアクスルケース１８より突出した入力軸１９が連結され、該入力軸１９に動力が伝えられて、フロントアクスルケース１８の左右両側に軸支した前輪２０を駆動できるようにしている。２２は前輪２０を操向自在とするためのパワーステアリングシリンダーである。前記ミッドＰＴＯ軸１４にはユニバーサルジョイント２３を介して、モア２４のギアボックス２５より突出した入力軸２６と連動連結されている。該モア２４は図示しない昇降装置によって、前輪２０と後輪２１の間の空間で地面に対して昇降可能に構成されている。
【００１２】
前記後ケース１１の後部両側面からは車軸２７を左右側方へ突出して後輪２１を軸支して駆動できるようにしている。後ケース１１上面には油圧昇降装置用のケース２９を載置し、該ケース２９には左右一対の上下揺動自在なリフトアーム３０が備えられている。後ケース１１の後面には、ロアリンク３１・３１とドローバーヒッチ３２とを備えたプレートが装着されている。そして、前記リフトアーム３０とロアリンク３１と図示しないトップリンクとには作業機が昇降自在に装着されるようにし、また、ドローバーヒッチ３２に牽引作業機が装着されるようにしている。
【００１３】
次に、トランスミッションの構成を説明する。
図２は走行系及びＰＴＯ系を備えたトランスミッションのスケルトン図、図３は前ケース内に構成された油圧式無段変速装置の側面断面図、図４は第二の部屋内のギア式変速装置とミッドＰＴＯ軸への動力伝達機構を示す側面断面図、図５は前輪駆動軸への動力伝達機構とリアＰＴＯ軸への動力伝達機構を示すハウジング後部側面断面図、図６は慣性空転防止用のブレーキとＰＴＯクラッチの拡大断面図、図７は同ブレーキの分解組立斜視図、図８は走行系及びＰＴＯ系の動力伝動軸の配置を示す正面図、図９は図３におけるＸ−Ｘ矢視断面図、図１０はギア式変速装置の変速操作部と、変速操作部に連係される後進変速牽制装置部の平面断面図、図１１は図３における右側のＹ−Ｙ矢視断面図と左側のＹ’−Ｙ’矢視断面図、図１２は図９におけるＺ−Ｚ矢視断面図、図１３はハウジングの前部斜視図、図１４は油圧回路図である。
【００１４】
前記ハウジングは、前ケース１０と後ケース１１に前後に分割可能に接合されており、該前ケース１０は前面に前壁１０ａを、後面に仕切壁１０ｂを形成して、前壁１０ａの周囲に機体フレーム１５接合用のフランジ部１０ｈが形成され、該前ケース１０の前壁１０ａの一部に設けた開口部を閉塞するためにセンタセクション４０が固設され、前ケース１０の仕切壁１０ｂとセンタセクション４０の間に第一の部屋Ｒ１を形成している。該センタセクション４０は後述する油圧ポンプＰ１とモーターＭとを装着するための部位であって前壁１０ａの一部を構成している。
そして、前ケース１０の下部には前輪駆動軸１３・４４を挿入するための貫通孔が形成されている。そして、後ケース１１の機体前後方向略中央部に隔壁１１ａを設けて、後ケース１１内を前後に仕切り、前記前ケース１０の仕切壁１０ｂは前壁１０ａと隔壁１１ａとの間に位置し、ハウジング内に第二の部屋Ｒ２を形成するための仕切壁として機能している。後ケース１１の隔壁１１ａと後壁１１ｃとの間には第三の部屋Ｒ３が形成されている。更に、後ケース１１の後壁には凹部を形成して、該凹部は蓋体７９によって閉塞され、第四の部屋Ｒ４を形成している。
【００１５】
そして、前記前ケース１０におけるセンタセクション４０と仕切壁１０ｂとの間に形成された第一の部屋Ｒ１内において、その上部位置に入力軸１２を軸受支持する一方、センタセクション４０の内面に油圧ポンプＰ１を装着して、該入力軸１２に油圧ポンプＰ１を連結している。前記センタセクション４０外面にはチャージポンプＰ２を配置し、入力軸１２に連結している。
また、第一の部屋Ｒ１内上下方向の略中央位置に走行第一伝動軸４１を軸受支持している。センタセクション４０の外面には、走行伝動一軸４１と同一軸心上にその回転軸心が位置するように油圧モータＭを装着している。センタセクション４０内に穿設した後述する油路を通じて油圧ポンプＰ１と油圧モータＭとを流体接続することにより油圧式無段変速装置を構成している。
【００１６】
前記油圧ポンプＰ１は次のように構成される。即ち、センターセクション４０の上部内面に設けたポンプ付設面５０にシリンダブロック５１が回転自在に配置され、該シリンダブロック５１の回転中心部に入力軸１２が係合されている。該シリンダブロック５１の複数のシリンダ孔内に、付勢バネを介してピストン５２・５２・・・が往復動自在に嵌合され、該ピストン５２・５２・・・の頭部に可動斜板５３のスラストベアリング５３ａが当接されている。該可動斜板５３は両側方へ突設したトラニオン軸５３ｂ・５３ｂを中心として傾倒でき、図９に示すように、一方は前ケース１０の左側壁内面に回転自在に支持され、他方は前ケース１０の右側壁の開口部を閉塞する側板６０に回転自在に支持されている。この他方のトラニオン軸５３ｂ上には中立戻しバネ５９が外嵌されている。この中立戻しバネ５９の両端は同方向に延びて途中で交差し、可動斜板５３の側面に植設した可動ピンと側板６０の内面に植設した偏心固定ピン７８とを挟み込んでいる。該偏心固定ピン７８を所定の位置にセットすることにより可動斜板５３は中立戻しバネ５９を介して中立位置に向けて付勢される。このトラニオン軸５３ｂは更に延長して側板６０より突出し、この突出部分に速度制御アーム６１を固定している。該速度制御アーム６１には後述する連結ロッド１２５等を介して前記ステップ４上に配置した主変速ペダルと連動連結されている。
【００１７】
前記センターセクション４０の下部外面にモータ付設面５４が構成されており、該モータ付設面５４に、シリンダブロック５５が回転自在に配置され、該シリンダブロック５５の回転中心部に出力軸４５が係合されている。該シリンダブロック５５の複数のシリンダ孔内に付勢バネを介して複数のピストン５６・５６・・・が往復動自在に嵌合されている。該ピストン５６の頭部は固定斜板５７に接当している。固定斜板５７はセンタセクション４０の外面に取り付けたモーターケース５８内に固着され、またモーターケース５８はシリンダブロック５５も収納している。
【００１８】
そして、前記油圧ポンプＰ１と油圧モータＭはセンタセクション４０内に穿設した油路４０ａ・４０ｂ（図１０）によって流体的に結合され、該油路４０ａ・４０ｂによって閉回路を構成し、該閉回路内には入力軸１２上に設けたチャージポンプＰ２から圧油が補給される。図１１に示す前ケース１０の下部側面に油フィルター４６を配置するために、図１３に示すように、前ケース１０の下部側面にはフィルター取付部１０ｇが形成されている。該油フィルター４６の入口孔４６ａは図９に示すように、仕切壁１０ｂに穿設した孔１２０を通じて第二の部屋Ｒ２と連通している。第二の部屋Ｒ２内の潤滑油は、油フィルター４６によりろ過された後にフィルター４６の出口孔４６ｂ（図１１）より側壁に設けた油路１２１ａ、側板６０と前ケース１０の右側壁との合わせ面に形成した縦油路１２１ｂ、並びに、前ケース１０の前面に開口する横油路１２１ｃ，センタセクション４０内の油路を通じて前記チャージポンプＰ２の吸入ポートに導かれる。
【００１９】
このように第一の部屋Ｒ１内には油圧ポンプＰ１を収納してしているので、長時間の稼動によりその内部に溜められた油は比較的高温となる。一方、第二の部屋Ｒ２内には後述するギア式変速装置とＰＴＯ伝動装置を収納しているだけなので、その中の油はあまり高温にはならない。この温度の低い側の潤滑油を前記油フィルター４６を介してチャージポンプＰ２に吸い込んで油圧式無段変速装置に補給することにより、該変速装置を流れる作動油の温度上昇が抑制され、その耐久性を向上させている。また、前ケース１０に油フィルター４６の関連要素を集中配置することにより、配管することなく、短く簡単な油路構成で第二の部屋Ｒ２内の潤滑油を吸入できるようにして、製作コストの低減化を図っている。
【００２０】
前記チャージポンプＰ２の吐出圧は図１４に示すように、メインリリーフ弁４７によって設定され、その圧油の一部は抵抗弁４８を介して、ハンドル３に連係した切換弁１００の切り換えによってパワーステアリングシリンダー２２に送油され、前輪２０を操向回動する。該ステアリングシリンダー２２からの戻り油は、オイルクーラー１２３を経てモーターケース５８内に戻され、更にセンタセクション４０の貫通孔を介して第一の部屋Ｒ１、仕切壁１０ｂの各軸受部を介して第二の部屋Ｒ２へと流れる。
また、チャージポンプＰ２からの吐出油は減圧弁４９により調圧され、チェック弁１２４・１２４のうち低圧側のチェック弁を通じて前記閉回路内に補給される。また、油路４０ａまたは４０ｂの高圧側が異常に高くなると高圧リリーフ弁１０４・１０４よりリリーフされ規定圧が維持される。減圧弁４９の調圧作動時に排出される一定流量のドレン油は後述するＰＴＯクラッチ８５の方向切換弁１０１に送油される。
【００２１】
また、前記閉回路を構成する油路４０ａ・４０ｂにはチェック弁１０２・１０２と油フィルター１０３・１０３が接続され、図１０に示すように前ケース１０の前壁１０ａに配置されており、エンジンＥを停止して坂道に駐車する場合等において、油圧モータＭや油圧ポンプなどの各部分から閉回路内の油が漏れて作動油の不足を生じたときに油フィルター１０３・１０３を通じてチェック弁１０２から第一の部屋Ｒ１内の潤滑油を補給できるようにしている。
そして、図３に示すように、センタセクション４０の上部に前記メインリリーフ弁４７が設けられて、チャージポンプＰ２の吐出油圧を規定圧に設定し、センタセクション４０の上部外面に固設したチャージンプＰ２のポンプケース１０５内に前記減圧弁４９を配置している。
【００２２】
また、図２、図４、図５に示すように前記前ケース１０の仕切壁１０ｂと後ケース１１の隔壁１１ａとの間に、ＰＴＯカウンター軸３９、ＰＴＯ伝動軸３３、走行伝動第二軸４２、走行伝動第三軸４３が軸受を介して回転自在に前後方向に沿って平行に横架されている。更に前ケース１０と後ケース１１を下斜め側方へ突出した膨出部１０ｉ・１１ｂの間にカウンター軸３４及びミッドＰＴＯ軸１４が軸受を介して回転自在に前後方向に横架されている。
【００２３】
また、図５に示すように前記後ケース１１の隔壁１１ａと後ケース１１の後壁１１ｃの間の第三の部屋Ｒ３内には、その上部にリアＰＴＯ駆動軸３５を前後方向に横架して設け、その下部にデフギア装置Ｄと油圧昇降装置用の油フィルター３８とを並置している。該リアＰＴＯ駆動軸３５の後部は前記第四の部屋Ｒ４に突入され、その突入した部位に歯車３５ａを設け、更に、後壁１１ｃと蓋体７９との間には、歯車３７を備えたリアＰＴＯ軸３６を回転自在に横架して、第四の部屋Ｒ４内において該歯車３７を前記歯車３５ａと噛合させることにより、ＰＴＯ駆動軸３５とリアＰＴＯ軸３６とを連結している。そして、蓋体７９より後方へリアＰＴＯ軸３６を突出している。
【００２４】
次に、図２〜図８よりトランスミッションの動力伝達機構を説明する。
前記入力軸１２には前述のようにエンジンＥの動力がダンパー（図示せず）、伝動軸１６を介して伝えられる。該入力軸１２により油圧ポンプＰ１とチャージポンプＰ２が駆動され、該油圧ポンプＰ１からの圧油が油圧モータＭに送油されて出力軸４５が駆動される。該出力軸４５の後端には前記走行第一伝動軸４１の前端がスプライン嵌合されて、一体的に回転するように構成し、該走行第一伝動軸４１の仕切壁１０ｂを突き抜けた後端には歯車６２が固設されている。
【００２５】
次にギア式変速装置について説明する。前記走行第一伝動軸４１上の歯車６２は図２、図４に示すように、走行第二伝動軸４２上に固設した大径歯車６３と噛合し、該大径歯車６３は走行第三伝動軸４３上に遊嵌した小径歯車６５ａと常時噛合している。また、走行第二伝動軸４２上には小径歯車６４が刻設されて、該小径歯車６４は走行第三伝動軸４３上に遊嵌した大径歯車６６ａと常時噛合している。該小径歯車６５ａと大径歯車６６ａとの間には軸４３上にスプラインカラー６７が配置され、走行第三伝動軸４３に固定され、該スプラインカラー６７上にスライダー６８が軸方向摺動自在に嵌合されている。
【００２６】
前記スライダー６８の外周に形成した係合凹部６８ａには、図１０に示すように、シフター１０６が係止されている。該シフター１０６は、前ケース１０の仕切壁１０ｂと、後ケース１１の隔壁１１ａとに摺動自在に横架したシフター軸１０７に固設され、該シフター軸１０７の前部は第一の部屋Ｒ１内に突出し、後述する速度制御アーム６１の後進変速牽制機構に連動連結され、後部はアーム１０８より突出したピンに係合される。該アーム１０８は、後ケース１１の左側壁に回転自在に軸支した切換軸１０９の内端に固定され、該切換軸１０９の外端には切換アーム１１０が固定され、該切換アーム１１０はリンク等を介して運転席側方の副変速レバー７と連結されている。
【００２７】
そして、前記歯車６５ａ・６６ａに夫々備わる係合子６５ｂ・６６ｂは前記スライダー６８の内歯と噛合可能に構成され、副変速レバー７の操作によって、切換アーム１１０を介し切換軸１０９が回動され、アーム１０８、シフター軸１０７、シフター１０６を介してスライダー６８が軸方向に摺動されて、前記歯車６５ａ・６６ａのうちの一方を走行第三伝動軸４３に係止することにより高低の二段変速が得られるように構成している。
【００２８】
従って、前記副変速レバー７を高速位置へ操作すると、スライダー６８の内歯が前記小径歯車６５ａの係合子６５ｂと噛合し、前記出力軸４５からの動力が、走行第一伝動軸４１→歯車６２→大径歯車６３→小径歯車６５ａ→係合子６５ｂ→スライダー６８→スプラインカラー６７→走行第三伝動軸４３と伝えられて、走行第三伝動軸４３後端に設けたピニオン６９からデフギア装置Ｄを介して車軸２７に高速回転の動力を伝える。
【００２９】
また、副変速レバー７を低速位置へ操作すると、スライダー６８の内歯が前記大径歯車６６ａの係合子６６ｂと噛合し、前記出力軸４５からの動力が、走行第一伝動軸４１→歯車６２→大径歯車６３→走行第二伝動軸４２→小径歯車６４→大径歯車６６ａ→係合子６６ｂ→スライダー６８→スプラインカラー６７→走行第三伝動軸４３と伝えられて、前記同様に車軸２７に低速回転の動力を伝える。
【００３０】
次に、前記速度制御アーム６１の後進変速時の牽制機構について説明する。
図３、図９、図１０に示すように、前記シフター軸１０７の前端部は断面視半円状に削られて最深部１０７ａを有するカム面が形成されている。油圧ポンプＰ１の下方には牽制アーム１１１が配置されている。該牽制アーム１１１は互いに異なる方向に延びる第一アーム部１１１ａと第二アーム部１１１ｂとを有し、その中途部には支軸１１３が固定され、該支軸１１３はセンタセクション４０と前ケース１０の仕切壁１０ｂの間に前後方向に沿って回転自在に横架され牽制アーム１１１を左右方向に揺動自在に支持している。牽制アーム１１１の第一アーム１１１ａの先端に設けたピン１１２にシフター軸１０７のカム面が当接されている。
前記牽制アーム１１１の第二アーム部１１１ｂの先端は牽制ピン１１４の一端面に当接されている。該牽制ピン１１４は側板６０の外面上において前記速度制御アーム６１の後進側回動範囲の略中間に位置決めされて、ブッシュ１１５を介して軸心方向に進退自在で可動斜板５３の傾転軸線と平行に側板６０に軸支され、牽制ピン１１４ａの第一の部屋Ｒ１内に位置する部位にはバネ１１６が外嵌されて、牽制ピン１１４を第一の部屋Ｒ１内に引っ込めるように付勢している。
【００３１】
そして、副変速レバー７を中立位置及び低速位置に操作したときには、図９に示す如くピン１１２がカム面の最深部１０７ａ内に位置しており、牽制アーム１１１は支軸１１３まわりに回動されず、速度制御アーム６１は、前進側及び後進側の全範囲で回動操作することができる。そして、副変速レバー７を高速位置に操作したときにはシフター軸１０７が前方へ摺動されるので、牽制アーム１１１の第一アーム部１１１ａ先端に設けたピン１１２がカム面の最浅部に乗り上げ、牽制アーム１１１が支軸１１３まわりに回動されて、第二アーム部１１１ｂが牽制ピン１１４の内端面をバネ１１６に抗して押し、該牽制ピン１１４の外端が側板６０の外面より突出する。
よって、速度制御アーム６１を中立位置から後進側へ回動操作しようとするときに、後進側の回動範囲の略中間位置にさしかかった時点で、速度制御アーム６１が牽制ピン１１４に当たるのでそれ以上の増速操作を制限するのである。つまり、副変速レバー７を高速側へ切り換えた状態で後進させると、車両は高速で後進してしまうが、この機構によれば、実用上不必要な高速状態をカットし、低速位置へ切り換えたときのみ、速度制御アーム６１は後進側の全回動範囲で回動できるようにしているのである。
【００３２】
次に、前輪駆動のための動力伝達機構を説明する。
図２、図３、図４、図５、図８に示すように、前記走行第三伝動軸４３上に固設した歯車７１は、前記走行第二伝動軸４２の前端に遊嵌した歯車７０と噛合し、該歯車７０は第二軸部４４（図５）上に固設した歯車７２と噛合している。前輪駆動軸は図３に示すように、第一軸部１３と第二軸部４４からなり、第一軸部１３は前ケース１０の前壁１０ａに設けた前記貫通孔にベアリングを介して回転自在に支持され、第二軸部４４は仕切壁１０ｂにベアリングを介して回転自在に支持され、第一軸部１３の後端部には第二軸部４４の前端部が遊嵌支持されている。
【００３３】
該第二軸部４４の前端部と第一軸部１３の後端部との間に前輪駆動の入・切を行うクラッチ機構Ｃが設けられている。即ち、該第二軸部４４の前端部と第一軸部１３の後端部の各々の外周にはスプライン溝が形成されている。第一軸部１３の後端部のスプライン溝にはスライダー７３を軸方向摺動自在に嵌合し、該スライダー７３の外周に形成した凹部７３ａには図９に示されたシフター７４の先端が係止されて、該シフター７４は回動軸７５の内端に固設されている。該回動軸７５は前記前ケース１０の右側面に固設したプレート部材７７に回動自在に軸支されて、回動軸７５の外端に前輪駆動操作アーム７６を固定して速度制御アーム６１の反対側に位置させている。該前輪駆動操作アーム７６はリンク等を介して運転部に設けた前輪駆動入・切レバー（図示せず）と連結される。なお、スライダー７３と第一軸部１３との間にはスライダー７３を「入」位置と「切」位置で維持できるようにボールデデント機構が設けられている。
【００３４】
このような構成において、前輪駆動操作アーム７６が「入」側に操作されると、スライダー７３が第二軸部４４と第一軸部１３との両者にまたがって両者を連結し、前記走行第三伝動軸４３に伝えられた動力が、歯車７１→遊嵌歯車７０→歯車７２→第二軸部４４→スライダー７３→第一軸部１３→ユニバーサルジョイント１７→入力軸１９→フロントアクスルケース１８と伝えられて前輪２０を駆動し、同時に前記走行第三伝動軸４３から後輪２１が駆動されているので四輪駆動状態となる。前輪駆動操作アーム７６が「切」側に操作されると、スライダー７３が第一軸部１３側に摺動されて第二軸部４４と第一軸部１３との動力伝達が断たれて、後輪２１のみが駆動される。
【００３５】
次に、ＰＴＯ伝動装置について説明する。
図２、図５、図６、図７に示すように、前記入力軸１２の後端は仕切壁１０ｂを貫いて第二の部屋Ｒ２内に突出されて、その入力軸１２の端部上に歯車８０が固設され、該歯車８０は前記ＰＴＯカウンター軸３９上に固設した歯車８１と噛合し、該歯車８１は、ＰＴＯ伝動軸３３上にベアリング８３を介して回転自在に遊嵌された歯車８２と噛合している。該歯車８２の側面にはボス部が設けられ、図６に拡大して示すように、該ボス部と、ＰＴＯ伝動軸３３上に固設したクラッチケース８４との間に摩擦板を交互に介装して摩擦多板式の油圧作動型のＰＴＯクラッチ８５を構成している。後述する油圧供給によってＰＴＯクラッチ８５のピストン８６が摺動されると摩擦板を圧接して歯車８２がＰＴＯクラッチ８５を介してＰＴＯ伝動軸３３に係合し入力軸１２からＰＴＯ伝動軸３３へ動力を伝えるようにしている。８９はピストン８６を摩擦板押圧解除方向へ付勢するバネである。
【００３６】
前記ＰＴＯ伝動軸３３の前端は前ケース１０の仕切壁１０ｂの貫通孔を突き抜けて、ＰＴＯクラッチ８５の切断時にＰＴＯ軸１４・３６の慣性空転を防止するためのブレーキＧが構成されている。ブレーキＧは、次のように構成されている。即ち、ＰＴＯ伝動軸３３前端にスプライン溝３３ａを形成し、該スプライン溝３３ａに回転板を係止する一方、前ケース１０の仕切壁１０ｂの前面にブレーキ室１３０を凹入状として形成し、その内周部に固定板を回転不能に係止し、前記回転板に重合させることによって、制動摩擦部材１３１を構成しブレーキ室１３０内に配設している。制動摩擦部材１３１の一側方には加圧板９０が配置されている。加圧板９０は、その中央部に制動摩擦部材１３１に向けて突出する押圧部９０ａと、この押圧部９０ａに対して径方向で並ぶよう押圧部９０ａの外周で同方向に突出した環状のピストン部９０ｂとを備えてあり、該ピストン部９０ｂは前記制動摩擦部材板１３１の外周に位置する大きさで、仕切壁１０ｂの前面において前記ブレーキ室１３０の外周に環状に凹入形成したシリンダー室１３２に摺動自在に嵌入されている。
【００３７】
このように加圧板９０はその中央部の押圧部９０ａに対して外周位置に環状ピストン部９０ｂを設けることによって、加圧板９０の軸方向寸法を小さくし、ブレーキＧの全長を短くして、第一の部屋Ｒ１の限られた空間に無理なく収容することが可能になっている。そして、加圧板９０を覆うべく前ケース１０の仕切壁１０ｂの前面には、細長い円筒形状のカバー８７であって、その内部にコイルスプリング８８を収納したカバー８７が装着されている。該コイルスプリング８８の基端はカバー８７の内底面に当接し、作用端は加圧板９０に当接してあり、これによって前記摩擦制御部材１３１を押圧する向きに加圧板９０をカバー８７の中で付勢するように構成してある。
【００３８】
そして、前記ＰＴＯ伝動軸３３の軸内には油路３３ｂ・３３ｃを穿設し、該油路３３ｂの一端は前記ＰＴＯクラッチ８５のクラッチケース８４におけるピストン８６を収納したシリンダー室に開口し、該油路３３ｂの他側は、ＰＴＯ伝動軸３３の外周面に形成した環状溝３３ｄとそれが摺接する仕切壁１０ｂの貫通孔の内周面との間に構成されたロータリジョイント部に通じている。そして、前ケース１０の仕切壁１０ｂにはその肉厚部に沿って油路１０ｆが穿設され、その一端は前記ロータリジョイント部に連通し、他端は前ケース１０の左側面に開口している。また、前述したブレーキＧのシリンダ室１３２の底部の１箇所に油路１０ｃが仕切壁１０ｂを縦断する方向に穿設されてその端部は油路１０ｆと直交して連通している。
【００３９】
なお、ＰＴＯ伝動軸３３内の油路３３ｃの一端はＰＴＯ伝動軸の外周面上に開口しており、前述したブレーキＧのブレーキ室１３０と連通し、カバー８７で閉じられている。仕切壁１０ｂの肉厚部内には油路３３ｃと平行に油路１０ｅが穿設され、その一端は前記ブレーキ室１３０に連通し、他端は前ケース１０の左側面に開口している。
【００４０】
また、前ケース１０の左側壁の外面に装着されるプレート部材７７は図１５、図１６、図１７に示す如く構成されている。即ち、プレート部材７７は２つの回動軸７５・１２７を回動自在に軸支すると共に、ＰＴＯクラッチ８５を『係合』・『非係合』に択一切換操作するための方向切換弁１０１が設置されている。そして図１５、図１７に示されているように、プレート部材７７の前ケース１０の左側面に対する接合面には４つの油溝７７ａ・７７ｂ・７７ｃ・７７ｄが設けられ前ケース１０の左側面にプレート部材７７を接合することによりこれらの油溝７７ａ・７７ｂ・７７ｃ・７７ｄは閉じられて油通路を形成する。
ここで、前記方向切換弁１０１のポンプポートに油溝７７ｃが、また、そのクラッチポートに油溝７７ａが連通している。油溝７７ａと油溝７７ｂとは、プレート部材７７に内装されたリリーフ弁１１９を介して連通しており、油溝７７ａに流れる油がリリーフ弁１１９にて規定値に調圧され、リリーフ弁１１９から排出されたリリーフ油が油溝７７ｂに流れるようになっている。
【００４１】
そして、プレート部材７７は、上述した前ケース１０の左側面に開口する油路１０ｅ・１０ｆを覆い、油溝７７ａの端部を前記した油路１０ｆに連通させ、油溝７７ｂを前記した油路１０ｅに連通させている。また、油溝７７ｄは、方向切換弁１０１のドレンポートに連通していると共に、前ケース１０の左側面に設けた貫通孔１０ｍ（図１２）を通じて前ケース１０の内部の油溜まりに連通している。更に、前記油溝７７ａは図１１の右半分及び図１２に示すように、アキュムレータ１１７と接続されている。該アキュムレータ１１７は、前ケース１０の仕切壁１０ｂの肉厚部内に入力軸１２と直交する方向へシリンダー室１０ｄを穿設し、該シリンダー室１０ｄにバネ１１７ｂとピストン１１７ａを挿入してピストン１１７ａの頭部をプレート部材７７で蓋して、その頭部とプレート部材７７との間に形成した受圧室を油溝７７ａに連通させることにより簡単にアキュムレータを構成している。なお、シリンダー室１０ｄの末端は、入力軸１２の軸受室１０ｊに連通しており、アキュムレータ１１７の作動時にシリンダー室１０ｄ内に漏れた油は入力軸１２の軸受の潤滑油として利用されるようになっている。
【００４２】
前記プレート部材７７の上側に設置された方向切換弁１０１は３ポート２位置切換の電磁弁により構成され、そのポンプポートは上述した油溝７７ｃを通じて、前ケース１０の左側壁の肉厚部に沿って前方に延びる油路１０ｎ（図９、図１３）の一端と連通している。該油路１０ｎの他端は、前ケース１０の前壁１０ａの装着したセンタセクション４０に設けた貫通孔（図示せず）を通じてポンプケース１０５内の前記減圧弁４９のドレンポートに連通して減圧弁４９から排出される油がここに導入されるようになっている。方向切換弁１０１はダッシュボード２上に設けたＰＴＯ切換スイッチ（図示せず）のＯＮ−ＯＦＦ操作によって『作用位置』と『非作用位置』とに択一的に切り換えることができ、その『非作用位置』においた場合には、方向切換弁１０１は図１４に示した状態となり、油溝７７ａ・７７ｃを油溝７７ｄに連通させるので減圧弁４９のドレンポート、並びに、ＰＴＯクラッチ８５のシリンダ室とブレーキＧのシリンダ室１３２とに繋がった油路１０ｆ、の各々が油溝７７ｄから貫通孔１０ｍを介して前ケース１０の油溜まりに開放される。
【００４３】
よって、ＰＴＯクラッチ８５は、そのピストン８６がバネ８９の付勢により摩擦板から後退して非係合状態となりＰＴＯ伝動軸３３への動力伝達を遮断する。一方、ブレーキＧは、そのコイルスプリング８８の付勢により加圧板９０の押圧部９０ａが制動摩擦部材１３１を押圧してＰＴＯ伝動軸３３が制動され、後述するミッドＰＴＯ軸１４やリアＰＴＯ軸３６を迅速に停止させる。また、方向切換弁１０１を『作用位置』においた場合には油溝７７ｃが油溝７７ａに連通されると共に油溝７７ｄがブロックされる。これにより減圧弁４９のドレンポートを流れる圧油が、前ケース１０における仕切壁１０ｂの油路１０ｆ、ロータリジョイント部、ＰＴＯ伝動軸３３内の油路３３ｂを通ってＰＴＯクラッチ８５のシリンダ室に流入しピストン８６が摩擦板を押圧してＰＴＯクラッチ８５が係合し、入力軸１２の回転をＰＴＯ伝動軸３３に伝達する。
一方、油路１０ｆを流れる圧油は分岐して油路１０ｃに流れブレーキＧのシリンダ室１３２に流入してコイルスプリング８８に抗して加圧板９０を制動摩擦部材１３１から後退させてＰＴＯ伝動軸３３の制動を解除する。なお、油溝７７ａに流れる圧油の調圧時にリリーフ弁１１９から排出されるリリーフ油は、油溝７７ｂに流れて油路１０ｅからブレーキ室１３０内の制動摩擦部材１３１を潤滑した後にＰＴＯ伝動軸３３の端面から油路３３ｃ内に流れ、ＰＴＯクラッチ８５の摩擦板や各被潤滑部位を潤滑した後に後ケース１１内の油溜まりに戻される。
【００４４】
このＰＴＯ伝動軸３３に作用する軸トルクと時間との関係は、図１８で示す如くであり、波形ａが、慣性空転防止用のブレーキＧによるＰＴＯ伝動軸３３を制動するブレーキトルクであり、時間（ｔ０）でＰＴＯ切換スイッチがＯＦＦの時にトルク値（Ｔ１）のブレーキトルクがＰＴＯ伝動軸３３に作用している。そしてＰＴＯ切換スイッチをＯＮとすると、油圧供給により加圧板９０が押されてバネ８８の付勢力が弱められ時間の経過とともに、ブレーキトルクは減少していく。一方、時間（ｔ１）に至るまでＰＴＯクラッチ８５のピストン８６のシリンダー室に作動油が充填されるまでの間、ＰＴＯ伝動軸３３には伝動トルクが発生しない。
そして、時間（ｔ１）に達して波形ｂで示す伝動トルクがＰＴＯ伝動軸３３に与えられ、時間（ｔ１）〜（ｔ２）の間でバネ１１７ｂに抗してピストン１１７ａが変位して、シリンダー室１０ｄ内に作動油を充填するので、ピストン８６に作用する油圧上昇は穏やかとなり摩擦板に対する押圧力を徐々に高めながらＰＴＯクラッチ８５が穏やかに係合し始め、伝動トルクが上昇していく。そして、時間（ｔ２）に到着したところでピストン１１７ａの変位が停止し、時間（ｔ２）〜（ｔ３）の間でバネ８９の付勢力に抗してピストン８６が摩擦板を強く押して、時間（ｔ３）でＰＴＯクラッチ８５が完全係合し、ＰＴＯ伝動軸３３には設定最大の伝動トルクＴ２が与えられる。
【００４５】
前記ＰＴＯクラッチ８５の後方でＰＴＯ伝動軸３３にミッドＰＴＯ駆動歯車９１を遊嵌し、該ミッドＰＴＯ駆動歯車９１に隣接してスプラインカラー９２（図６）をＰＴＯ伝動軸３３に固定し、ＰＴＯ伝動軸３３の後端に互いの軸心を一致させて、リアＰＴＯ駆動軸３５に連結する伝動軸３４の前端を遊嵌支持している。前記ミッドＰＴＯ駆動歯車９１の側面上には係合子９３を形成し、伝動軸３４の前端上にも係合子９４を形成し、スプラインカラー９２上にはスライダー９５が相対回転不能でかつ軸方向摺動自在に外嵌されている。該スライダー９５の外周に形成した環状凹部には図示しないシフターが挿入され、該シフターは図１１に示すシフター軸１２２に固定されている。該シフター軸１２２は前ケース１０の仕切壁１０ｂと後ケース１１の隔壁１１ａとの間に前後方向に摺動自在に横架され、その前端は第一の部屋Ｒ１内に鑑んでいる。一方、プレート部材７７には回動軸１２７が回動自在に横架され、その内端にアーム１２３が固着され、アーム１２３はシフター軸１２２に係止している。回動軸１２７の外端にはＰＴＯ切換アーム１２５が固着され、ＰＴＯ切換アーム１２５はリンク等を介して前記運転席側部に配置したＰＴＯ切換レバー９と連結される。
【００４６】
前記ミッドＰＴＯ駆動歯車９１は、図２、図４に示すように、前記走行第三伝動軸４３の軸方向中途部上にベアリング９６・９６を介して回転自在に遊嵌されたアイドル歯車９７と噛合し、該アイドル歯車９７はカウンター軸９９上に固設した歯車９８と噛合し、該歯車９８はミッドＰＴＯ軸１４上に固設した歯車１００と噛合して、ミッドＰＴＯ駆動歯車９１からミッドＰＴＯ軸１４に動力を伝達するように構成している。このように、ミッドＰＴＯ軸１４に動力を伝達するためのＰＴＯ伝動ギアトレーン（ミッドＰＴＯ駆動歯車９１、アイドル歯車９７、歯車９８、歯車１００）を、ハウジング内の第二の部屋Ｒ２に収納し、アイドル歯車９７が、ギア式変速装置を構成する軸の１つを利用してここに設置しているのでコンパクトな構成になっている。
【００４７】
従って、前記運転席側部に配置したＰＴＯ切換レバー９を操作して、スライダー９５を図５の紙面右方向へ摺動させると、スプラインカラー９２と伝動軸３４上の歯車９４とがスライダー９５を介して連結して、動力はＰＴＯ伝動軸３３→スプラインカラー９２→スライダー９５→係合子９４→伝動軸３４→リアＰＴＯ駆動軸３５と伝えられ、リアＰＴＯ軸３６のみが駆動される。この位置からスライダー９５を一段左方向へ摺動させると、スライダー９５は、ミッドＰＴＯ駆動歯車９１の係合子９３とスプラインカラー９２と伝動軸３４の係合子９４とを連結して、前述したリアＰＴＯ軸３６を駆動すると共に、動力はＰＴＯ伝動軸３３→スプラインカラー９２→スライダー９５→係合子９３→ミッドＰＴＯ駆動歯車９１と伝えられ、ＰＴＯ伝動ギアトレーンを介してミッドＰＴＯ軸１４を駆動し、ミッドＰＴＯ軸１４とリアＰＴＯ軸３６の両方が駆動される。更にスライダー９５を紙面左方向へ摺動させると、スライダー９５はミッドＰＴＯ駆動歯車９１の係合子９３のみをスプラインカラー９２に連結して、動力はＰＴＯ伝動軸３３→スプラインカラー９２→スライダー９５→係合子９３→ミッドＰＴＯ駆動歯車９１と伝えられ、ミッドＰＴＯ軸１４のみが駆動される。
【００４８】
【発明の効果】
本発明は以上の如く構成したので、次のような効果を奏するのである。即ち、トランスミッションを収容するハウジング内の第一の部屋に油圧式無段変速装置を構成し、第二の部屋に前記ＰＴＯ伝動軸を配置、該第一の部屋と第二の部屋とを区画する仕切壁に、ＰＴＯ伝動軸をＰＴＯクラッチの切断時に制動するためのブレーキを構成したので、第一の部屋の空いたスペースにブレーキを配置することができ、ハウジング内の空間を有効に利用して、ハウジングをコンパクトに構成することができた。
【００４９】
また、ブレーキのブレーキ室を仕切り壁の一側面に凹状に形成して構成したので、ブレーキ室を別部品で構成することなく仕切り壁を有効に利用でき、このブレーキ室内に摩擦制動部材を収容して、加圧板で摩擦制動部材を押圧し、この加圧板をカバーで覆う構成としたので、ブレーキを小形化でき、第一の部屋内に占めるスペースも小さくすることができた。
【００５０】
また、ブレーキの加圧板には、摩擦制動部材に向けて突出した押圧部と、この押圧部に対して径方向で並ぶように突出した環状のピストン部とが備えられると共に、前記仕切壁のブレーキ室の外周位置には、環状の凹入して加圧板のピストン部が摺動自在に嵌入されるシリンダ室を形成したので、ブレーキ装置の前後長さを更に圧縮でき、第一の部屋の限られた空間にブレーキ装置を無理なく設置することが可能となりコンパクト化が可能となった。
また、ＰＴＯクラッチに対し作動油を給排するロータリジョイント部を伝動軸上に構成し、ＰＴＯクラッチの方向切換弁から導かれる油通路を、仕切壁に形成した油路を介してロータリジョイント部とシリンダ室とに夫々接続したので、ＰＴＯクラッチに対する作動油給排とブレーキに対する作動油給排とが仕切壁の中で簡潔に行えるようになり、油通路の全長が短くなり、管路抵抗が軽減され、その結果、ブレーキの作動が確実に行える。
【００５１】
また、ＰＴＯクラッチの方向切換弁をプレート部材を介してハウジングの外壁に取付け、このプレート部材とハウジングとの間に、方向切換弁のクラッチポートと仕切壁の油路とを連通する油通路を設けると共に、該油通路からロータリジョイント部に至る途中に、そのケースが前記ハウジングの一部で構成されたアキュムレータを接続したので、アキュムレータによってＰＴＯクラッチを緩嵌入させることができ、慣性量の大きな作業機をショックなく良好に駆動させることができる。更に、アキュムレータはハウジングの一部に構成することができるので、構造が簡素化されて低コストで構成できる。
【００５２】
また、前記アキュムレータのケースを、ハウジング外壁から仕切壁内に向けて穿設した孔部で構成し、孔部にアキュムレータのピストンを摺動自在に収容してその孔部を前記プレート部材で閉塞すると共にプレート部材とピストンの頭部との間に、プレート部材の前記油通路を導いたので、アキュムレータが仕切壁に内蔵されてアキュムレータを設置するためのスペースを確保する必要がなくなる。また、方向切換弁の油通路に対するアキュムレータの接続がプレートの装着と同時になされるので組立作業が容易にできるようになる。
【図面の簡単な説明】
【図１】作業車両の全体側面図である。
【図２】走行系及びＰＴＯ系を備えたトランスミッションのスケルトン図である。
【図３】前ケース内に構成された油圧敷無段変速装置の側面断面図である。
【図４】第二の部屋内のギア式変速装置とミッドＰＴＯ軸への動力伝達機構を示す側面断面図である。
【図５】前輪駆動軸への動力伝達機構とリアＰＴＯ軸への動力伝達機構を示すハウジング後部側面断面図である。
【図６】慣性空転防止用のブレーキとＰＴＯクラッチの拡大断面図である。
【図７】同ブレーキの分解組立斜視図である。
【図８】走行系及びＰＴＯ系の動力伝動軸の配置を示す正面図である。
【図９】図３におけるＸ−Ｘ矢視断面図である。
【図１０】ギア式変速装置の変速操作部と、変速操作部に連係される後進変速牽制装置部の平面断面図である。
【図１１】図３における右側のＹ−Ｙ矢視断面図と左側のＹ’−Ｙ’矢視断面図である。
【図１２】図９におけるＺ−Ｚ矢視断面図である。
【図１３】ハウジングの前部斜視図である。
【図１４】油圧回路図である。
【図１５】プレート部材の正面図である。
【図１６】プレート部材の側面図である。
【図１７】プレート部材の背面図である。
【図１８】ＰＴＯクラッチの軸トルクと時間との関係を示す図である。
【符号の説明】
Ｇ  慣性空転防止ブレーキ装置
Ｐ  油圧ポンプ
Ｍ  油圧モータ
Ｒ１  第一の部屋
Ｒ２  第二の部屋
１０  前ケース
１０ｂ  仕切壁
１１  後ケース
１２  入力軸
３３  ＰＴＯ伝動軸
７７  プレート部材
８５  ＰＴＯクラッチ
８７  カバー
９０  加圧板
１０１  方向切換弁
１１７  アキュムレータ
【図１】
0003608683.tif 000002
【図２】
0003608683.tif 000003
【図３】
0003608683.tif 000004
【図４】
0003608683.tif 000005
【図５】
0003608683.tif 000006
【図６】
0003608683.tif 000007
【図７】
0003608683.tif 000008
【図８】
0003608683.tif 000009
【図９】
0003608683.tif 000010
【図１０】
0003608683.tif 000011
【図１１】
0003608683.tif 000012
【図１２】
0003608683.tif 000013
【図１３】
0003608683.tif 000014
【図１４】
0003608683.tif 000015
【図１５】
0003608683.tif 000016
【図１６】
0003608683.tif 000017
【図１７】
0003608683.tif 000018
【図１８】
0003608683.tif 000019